(57)【要約】【課題】  湿布剤の保護シートの両面を使用することによって保護シートを節約し、且つ、剥離し易くし、更に皺が生ぜず患部に容易に貼ることが可能な湿布剤を提供する。【解決手段】  布や紙等により形成された支持体（１）の表面に消炎や鎮痛作用を有する膏薬を薄く塗布した湿布剤において、膏薬を薄く塗布した面の中央部を残し両端４分の１程度以上に保護シートを張り、この両側の保護シートを張った面を内側にして蛇腹状に四つ折りしたことを特徴とした湿布剤。【選択図】図４
2010179079.tif 000002
【特許請求の範囲】
【請求項１】
布や紙等で形成された支持体（１）の表面に消炎や鎮痛等の作用を有する膏薬（２）を薄く塗布した湿布剤において、膏薬（２）を塗布した面の中央部を残し両端部より４分の１程度以上に保護シート（３）を張り、この両側の保護シート（３）を張った面を内側にして蛇腹状に四つ折りしたことを特徴とした湿布剤。
【請求項２】
布や紙等で形成された支持体（１）の表面に消炎や鎮痛等の作用を有する膏薬（２）を薄く塗布した湿布剤において、膏薬（２）を塗布した面の１端部より約半分程度に保護シート（３）を張り、膏薬を塗布した面を内側にして二つ折りしたことを特徴とした湿布剤。
【請求項３】
請求項１又は請求項２記載した湿布剤の保護シート（２）において、摘み部（５）を設けたことを特徴とした湿布剤。
【発明の詳細な説明】
【技術分野】
【０００１】  保護シートの使用面積を少なくするとともに  簡単かつ容易に膏薬表面が皮膚に効率的に貼着することができる湿布剤に関するものである。
【背景技術】
【０００２】消炎鎮痛湿布剤は  消炎や鎮痛等の目的で膏薬が皮膚表面に密接するよう皮膚に貼着され使用される。
従来の湿布剤について説明する。図１は従来の湿布剤の斜視図である。（１）は布や紙等で形成されたシート状の支持体、（２）は支持体の表面に薄く塗布等された膏薬、（３）は膏薬を保護する柔軟性を有する保護シートである。最近は保護シートが中央で分割するタイプが多い。【０００３】しかしながら、フイルム状の保護シートは粘着性を通常有する膏薬表面に密接するものであるため、湿布剤を用いる際に膏薬表面を露出させようと保護シートを剥離するとき、薄い保護シートを摘むのに手間がかかることが多い。
また、手先を器用に動かすことが困難である高齢者にとって、保護シートを膏薬表面から剥離する作業は困難なものとなりうる。
このような保護シートの膏薬表面からの剥離作業を容易にするため下記の様な特許文献が紹介されている。
【先行技術文献】
【特許文献】
【０００４】
【特許文献１】実開平７ー４４７４７号公報
【特許文献２】特許公開２００６−３２６００４号公報
【発明の概要】
【発明が解決しようとする課題】
【０００５】    従来の湿布剤には、次のような問題点があった。
▲１▼現在良く使用されているのが保護シートを左右に別れるように中央で分割したものが多い。そのため湿布剤の中央に手指を運び保護シートの端を把持しつつ膏薬表面から剥離し患部に付着させるのであるが、この際、湿布剤に皺ができないようにするのに苦心を要する。
▲２▼湿布剤を貼るとき湿布剤を広げなければならないので、湿布剤の両側の端を持ち皮膚上に湿布剤を保持しつつ保護シールを剥離するため保護シールに再度手指を戻さなければならない。
▲３▼従来の湿布剤の保護シートは膏薬を保護するだけを目的にしていたので全面に張られていた。そこには保護シートを効率よく節約し、且つ、剥離し易い思想はなかった。
本発明は  以上の問題を解決しようとするものである。
【課題を解決するための手段】
【０００６】  そこで、保護シートの両面を使用することによって保護シートを節約し、且つ、剥離し易く、更に皺が生ぜず患部に容易に貼ることが可能な湿布剤を提供する。
その手段は、
請求項１記載の湿布剤のように、
布や紙等で形成された支持体（１）の表面に消炎や鎮痛等の作用を有する膏薬（２）を塗布した湿布剤において、膏薬（２）を塗布した面の中央部を残し両端部より４分の１程度以上に保護シート（３）を張り、両側の保護シート（３）を張った面を内側にして蛇腹状に四つ折りしたことを特徴とした湿布剤と、
請求項２記載の湿布剤のように
膏薬（２）を塗布した面の１端部より約半分程度に保護シート（３）を張り二つ折りにした湿布剤を提供する。【０００７】更に、請求項３記載のように、これらの保護シート（３）に摘み部（５）を設けた湿布剤をも提供する。
【発明の効果】
【０００８】  請求項１記載の四つ折りタイプについて説明する。
湿布剤が四つ折りなので手に持ち易い。この湿布剤の両端の把持部（４）を把持して湿布剤を拡げる方向に引くと中央部に自然に膏薬面が露出するためこの部位の保護シートを剥離する必要が無く、この露出した膏薬面が皮膚に付着すると湿布剤が皮膚に安定するため湿布剤が貼りやすく両側の保護シートも剥離しやすくなる。これにより保護シートを剥離する動線が短縮される。保護シートの両面を使用するためシートの節約にもなる。
次に請求項２記載の二つ折れタイプについて説明する。
二つ折りタイプでは図６の様にしておくと保護シートから膏薬面が剥離する部位が判別し易い。保護シートは四つ折りタイプと同じく節約となる。
更に、請求項３記載のように、保護シートの端部に摘み部（５）を設けると、より一層保護シートを摘み易くて剥離し易い。【０００９】  上述の如く、保護シートの節約は  四つ折りタイプ  二つ折りタイプ共に可能である。湿布剤を中央から貼るときは四つ折りタイプ、湿布剤を端から貼るときは二つ折タイプがよい。又、保護シートの両面を使用して膏薬面を保護すれば保護シートは約半分が節約可能となり  使用時保護シートの面積が狭くなれば保護シートを剥離する動線が短縮する。
【図面の簡単な説明】
【００１０】
【図１】従来の湿布剤の斜視図である。
【図２】本発明の中央部の保護シートを切除した斜視図である
【図３】本発明の四つ折りにした斜視図である
【図４】本発明の四つ折りの両側を閉じた斜視図である
【図５】本発明の保護シートを約半分切除した斜視図である
【図６】本発明の二つ折りにした斜視図である
【発明を実施するための最良の形態】
【００１１】  請求項１記載の湿布剤の実施例を図２〜４に基づき説明する。
図２は湿布の保護シート（３）の中央半分を無くし中央部に膏薬（２）が露出してい    る状態を示す。
図３は両側の保護シート（３）の膏薬付着面の他面に中央部の膏薬面（２）を付着さ    せるべく蛇腹状に四つ折りにした斜視図である。これにより  保護シート（３）の両    面に膏薬が接する。
このとき  両外側のシート部が中央部の膏薬露出部を覆うように少し長くする。
図４は両外側のシート部を圧着した斜視図である。これにより膏薬面は保護シート（    ３）で覆われたことになる。かつ  両外側の露出した保護シート部が湿布剤を広げる    ときの把持部（４）となる。【００１２】  請求項２、３記載の湿布剤の実施例を図５，６に基づき説明する
図５は膏薬面の約半分を保護シート（３）で覆った二つ折タイプの斜視図で、摘み部  （５）を設けた。
図６は支持体を折り返し保護シートで膏薬面を覆った二つ折タイプの斜視図である。
両側の端をずらしてあるが揃えてもよい。
【符号の説明】
【００１３】    １  支持体
２  膏薬
３  保護シート
４  把持部
５  摘み部
【図１】
2010179079.tif 000003
【図２】
2010179079.tif 000004
【図３】
2010179079.tif 000005
【図４】
2010179079.tif 000006
【図５】
2010179079.tif 000007
【図６】
2010179079.tif 000008